(57)【要約】【課題】コア部と巻線部の絶縁処理によるコア部の拡大化を抑制してアンテナ装置の小型化を図る。【解決手段】少なくとも表層部が導電性を有する材料から形成されたコア部（３６）と、このコア部（３６）にコイルが巻きつけられて形成された巻線部（３７）と、を備えたアンテナ装置（１０）であって、コア部（３６）の表層部に、フッ素樹脂をコーティングした。【選択図】図１
2005159904.tif 000002
【特許請求の範囲】
【請求項１】
少なくとも表層部が導電性を有する材料から形成されたコア部と、このコア部にコイルが巻きつけられて形成された巻線部と、を備え、
前記コア部の表層部に、非導電性樹脂がコーティングされてなることを特徴とするアンテナ装置。
【請求項２】
前記コア部と前記巻線部との双方の周囲を囲むカバーケースを更に備えることを特徴とする請求項１に記載のアンテナ装置。
【請求項３】
前記カバーケースは、着脱自在な二つのカバーピースを組み合わせることにより構成されていることを特徴とする請求項２に記載のアンテナ装置。
【請求項４】
前記カバーケースの角部は、前記カバーケースの中央部に比べて肉厚とされていることを特徴とする請求項２又は３に記載のアンテナ装置。
【請求項５】
前記カバーケースにおける前記コア部の厚み方向の面に、前記巻線部の長手方向の長さよりも長い辺を有する窓部が設けられていることを特徴とする２〜４の何れか一項に記載のアンテナ装置。
【請求項６】
前記コア部及び前記巻線部のうちの少なくとも一方と前記カバーケースとが複数の箇所で点接着されていることを特徴とする請求項２〜５の何れか一項に記載のアンテナ装置。
【請求項７】
前記巻線部には、フレキシブル基板が接続されていることを特徴とする請求項１〜６の何れか一項に記載のアンテナ装置。
【請求項８】
請求項１〜７の何れか一項に記載のアンテナ装置と、このアンテナ装置を収納するとともに、バンドを取り付けるためのバンド取付部を備えた時計ケースとを備えることを特徴とする時計。
【発明の詳細な説明】
【技術分野】
【０００１】
本発明は、アンテナ装置及び時計に関する。
【背景技術】
【０００２】
無線機や電波時計等の電子機器には、電波を送受信するためのアンテナ装置が設けられている。アンテナ装置としては、例えば、黄銅や銅等の金属板よりなる導電性を有するアンテナ本体の表層部にニッケル等の金属メッキを施したものがある（例えば、特許文献１参照。）。また、図２４に示すように、フェライト等のコア部材２１０にコイルを巻きつけて巻線部２２０を形成したアンテナ装置２００もある。
ところで、フェライト等の材料として透磁率が高く導電性の高いコア部材２１０を用いた場合、電波を受信することによって巻線部２２０に発生した電流がコア部材２１０にも流れてしまい、受信効率が悪くなるという問題があった。
そこで、コア部材２１０に絶縁テープ２４０を、例えば、約２００μｍの厚さで巻きつけることによって、コア部材２１０と巻線部２２０に巻かれたコイルとが電気的に導通しないようにしている。
【特許文献１】特開平６−３５０３２４号公報
【発明の開示】
【発明が解決しようとする課題】
【０００３】
しかし、コア部材に絶縁テープを巻くと、絶縁テープの厚みでコア部材も大きくなってしまうため、長いコイルが必要となり、直流抵抗特性等を落とすという問題があった。また、コア部材をＨ字形状に形成すると、必要な強度を確保するためにフランジを設ける必要があるため、フランジ部分が折れやすくなるという問題があった。
【０００４】
そこで、本発明の課題は、コア部材と巻線部の絶縁処理によるコア部材の拡大化を抑制することにより、必要なコイル長を短縮して直流抵抗特性を向上させるとともに、アンテナ装置の小型化を図ることができるアンテナ装置及び時計を提供することである。
【課題を解決するための手段】
【０００５】
以上の課題を解決するため、請求項１に記載の発明は、アンテナ装置（例えば、図２〜図６のアンテナ装置１０）であって、少なくとも表層部が導電性を有する材料から形成されたコア部（例えば、図６〜図１２のコア部３６）と、このコア部にコイルが巻きつけられて形成された巻線部（例えば、図６〜図９の巻線部３７）と、を備え、前記コア部の表層部に、非導電性樹脂がコーティングされてなることを特徴とする。
【０００６】
請求項１に記載の発明によれば、コア部の表層部に、非導電性樹脂をコーティングすることにより、コア部の表層部は絶縁される。これにより、電波を受信することによって巻線部に発生した電流がコア部に流れることがなくなり、電波の受信効率を向上させることができる。また、コア部の表層部は、非導電性樹脂のコーティングによって絶縁することができるため、従来のように、絶縁テープを巻きつける場合に比べて、絶縁層をはるかに薄くすることができるので、コア部の拡大化を抑制することができ、必要なコイル長を短縮することができる。これにより、直流抵抗特性を向上させるとともに、アンテナ装置の小型化を図ることができる。
【０００７】
請求項２に記載の発明は、請求項１に記載のアンテナ装置において、前記コア部と前記巻線部との双方の周囲を囲むカバーケース（例えば、図２，３，４，６，１３〜図２１のカバーケース３１）を更に備えることを特徴とする。
【０００８】
請求項２に記載の発明によれば、コア部と巻線部との双方の周囲を囲むカバーケースを設けることにより、コア部及び巻線部は、カバーケースによって外部の衝撃から保護される。よって、アンテナ装置の耐衝撃性を高めることができる。
【０００９】
請求項３に記載の発明は、請求項２に記載のアンテナ装置において、前記カバーケースは、着脱自在な二つのカバーピース（例えば、図２，３，４，６，１３〜図２１の上部カバーピース３１ａ、下カバーピース３１ｂ）を組み合わせることにより構成されていることを特徴とする。
【００１０】
請求項３に記載の発明によれば、カバーケースは、着脱自在な二つのカバーピースを組み合わせることにより構成されるので、コア部及び巻線部の取り付け操作を容易にすることができる。
【００１１】
請求項４に記載の発明は、請求項２又は３に記載のアンテナ装置において、前記カバーケースの角部は、前記カバーケースの中央部に比べて肉厚とされていることを特徴とする。
【００１２】
請求項４に記載の発明によれば、カバーケースの角部を中央部に比べて肉厚としたので、例えば、落下等における衝撃力が作用しやすい部位の耐衝撃性を更に高めることができる。
【００１３】
請求項５に記載の発明は、請求項２〜４の何れか一項に記載のアンテナ装置において、前記カバーケースにおける前記コア部の厚み方向の面に、前記巻線部の長手方向の長さよりも長い辺を有する窓部（図１３，１５，１７，１９の窓部４５ａ、４５ｂ）が設けられていることを特徴とする。
【００１４】
請求項５に記載の発明によれば、カバーケースにおけるコア部の厚み方向の面に、巻線部の長手方向の長さよりも長い辺を有する窓部が設けられているので、カバーケースにおけるコア部の厚み方向の面において、その面の厚み部分と重なるように巻線部を窓部側に突出させて配置することができることとなって、その重なった分だけカバーケースを薄型化することができる。よって、アンテナ装置の薄型化を図ることができる。
【００１５】
請求項６に記載の発明は、請求項２〜５の何れか一項に記載のアンテナ装置において、前記コア部及び前記巻線部のうちの少なくとも一方と前記カバーケースとが複数の箇所で点接着されていることを特徴とする。
【００１６】
請求項６に記載の発明によれば、コア部及び巻線部のうちの少なくとも一方とカバーケースとを複数の箇所で点接着したので、強度を維持したまま、コア部、カバーケース、接着剤の温度膨張係数と湿度収縮係数の違いによって発生するコア部の歪みによる特性劣化の緩和を図ることができる。
【００１７】
請求項７に記載の発明は、請求項１〜６の何れか一項に記載のアンテナ装置において、前記巻線部には、フレキシブル基板（例えば、図１，２，３，５のフレキシブル基板３３）が接続されていることを特徴とする。
【００１８】
請求項７に記載の発明によれば、巻線部にフレキシブル基板が接続されているので、アンテナ装置を電子機器等に内蔵する際に配線の引き回しを自在にすることができる。
【００１９】
請求項８に記載の発明は、時計（例えば、図１の腕時計１００）であって、請求項１〜７の何れか一項に記載のアンテナ装置と、このアンテナ装置を収納するとともに、バンドを取り付けるためのバンド取付部（例えば、図１の延出部９）を備えた時計ケース（例えば、図１の時計ケース１）とを備えることを特徴とする。
【００２０】
請求項８に記載の発明によれば、アンテナ装置を時計ケースに設けないで、バンドに収納しているので、時計ケース、ひいては時計全体の大幅な薄型化を図ることができる。
【発明の効果】
【００２１】
請求項１に記載の発明によれば、コア部の表層部に、非導電性樹脂をコーティングすることにより、コア部の表層部は絶縁される。これにより、電波を受信することにより巻線部に発生した電流がコア部に流れることがなくなり、電波の受信効率を向上させることができる。また、コア部の表層部は、非導電性樹脂のコーティングによって絶縁することができるため、従来のように、絶縁テープを巻きつける場合に比べて、絶縁層をはるかに薄くすることができるので、コア部の拡大化を抑制することができ、必要なコイル長を短縮することができる。これにより、直流抵抗特性を向上させるとともに、アンテナ装置の小型化を図ることができる。
【００２２】
請求項２に記載の発明によれば、コア部と巻線部との双方の周囲を囲むカバーケースを設けることにより、コア部及び巻線部は、カバーケースによって外部の衝撃から保護される。よって、アンテナ装置の耐衝撃性を高めることができる。
【００２３】
請求項３に記載の発明によれば、カバーケースは、着脱自在な二つのカバーピースを組み合わせることにより構成されるので、コア部及び巻線部の取り付け操作を容易にすることができる。
【００２４】
請求項４に記載の発明によれば、カバーケースの角部を中央部に比べて肉厚としたので、例えば、落下等における衝撃力が作用しやすい部位の耐衝撃性を更に高めることができる。
【００２５】
請求項５に記載の発明によれば、カバーケースにおけるコア部の厚み方向の面に、巻線部の長手方向の長さよりも長い辺を有する窓部が設けられているので、カバーケースにおけるコア部の厚み方向の面において、その面の厚み部分と重なるように巻線部を窓部側に突出させて配置することができることとなって、その重なった分だけカバーケースを薄型化することができる。よって、アンテナ装置の薄型化を図ることができる。
【００２６】
請求項６に記載の発明によれば、コア部及び巻線部のうちの少なくとも一方とカバーケースとを複数の箇所で点接着したので、強度を維持したまま、コア部、カバーケース、接着剤の温度膨張係数と湿度収縮係数の違いによって発生するコア部の歪みによる特性劣化の緩和を図ることができる。
【００２７】
請求項７に記載の発明によれば、巻線部にフレキシブル基板が接続されているので、アンテナ装置を電子機器等に内蔵する際に配線の引き回しを自在にすることができる。
【００２８】
請求項８に記載の発明によれば、アンテナ装置を時計ケースに設けないで、バンドに収納しているので、時計ケース、ひいては時計全体の大幅な薄型化を図ることができる。
【発明を実施するための最良の形態】
【００２９】
以下、本発明に係るアンテナ装置及び時計の最良の実施形態について詳細に説明する。なお、本実施形態においては、時計として、腕時計を例に挙げて説明する。
＜腕時計の構成＞
最初に腕時計１００の構成について説明する。図１は、腕時計１００の拡大断面図である。腕時計１００は、図１に示すように、時計ケース１を備えている。この時計ケース１は、ケース本体２と、このケース本体２の上面における開口周囲に取り付けられるベゼル３と、このベゼル３に取り付けられる時計ガラス４と、ケース本体２の下面に取り付けられる金属製の裏蓋５と、この裏蓋５とベゼル３とを結合する締結ねじ６とを備えた構成になっている。
【００３０】
ケース本体２は、例えば、ＡＢＳ樹脂などの合成樹脂からなり、その中央部には、図１に示すように、時計モジュール７を収納するモジュール収納部８が上下面に開口されて設けられている。また、このケース本体２にはベゼル３の外部側方（図１では右側方）に延出したバンド取付部としての延出部９が設けられており、この延出部９にはアンテナ装置１０を収納するアンテナ収納部１１が上面側に開放されて設けられている。また、延出部９には、バンドを取り付けるためにピンを通す孔部９ａが形成されている。この場合、アンテナ装置１０は、ゴムなどの緩衝部材１２で包まれてアンテナ収納部１１に収納され、この状態で、例えば、合成樹脂からなるカバーパネル１３がアンテナ収納部１１を塞いで延出部９の上面に取り付けられることにより、アンテナ収納部１１がこのカバーパネル１３で覆われている。また、ケース本体２には、アンテナ収納部１１とモジュール収納部８とを連絡する連絡路１５が設けられており、アンテナ装置１０のフレキシブル基板３３（後述する）が、連絡路１５を通してモジュール収納部８内の時計モジュール７に電気的に接続されている。
【００３１】
ベゼル３は、例えば、ステンレスなどの強度の高い金属からなり、その中央部に開口部１６がモジュール収納部８に対応して設けられ、これにより全体が厚みの薄い枠形状に形成されている。このベゼル３は、ケース本体２の上面におけるモジュール収納部８の周囲に沿って設けられた位置決め用の突起部１７によって位置規制された状態で両面接着テープ１８によってケース本体２の上面に接着されている。この場合、ベゼル３は、その開口部１６の内周面に鍔部１６ａがケース本体２のモジュール収納部８の上側に突出して設けられていると共に、この開口部１６の内周面における鍔部１６ａの上側に段差部１６ｂが設けられた構成になっている。これにより、ベゼル３は、その開口部１６内において鍔部１６ａ上にリング状のソーラパネル１９が装着され、このソーラパネル１９の上側に時計ガラス４が装着され、この状態で鍔部１６ａの下面にモジュール収納部８内の時計モジュール７の上面縁部が当接するように構成されている。
また、このベゼル３の下面には、図１に示すように、両面接着テープ１８を配置するためのテープ収納凹部２０が両面接着テープ１８の厚みよりも少し浅く形成されている。
【００３２】
裏蓋５は、例えば、ステンレスやチタン等の強度の高い金属からなり、図１に示すように、全体が厚みの薄いほぼ平板状に形成され、ケース本体２のモジュール収納部８の下面を覆った状態で、防水リング２３を介して本体ケース２の下面に締結ねじ６によって取り付けられている。この場合、防水リング２３は、モジュール収納部８の周囲に沿ってケース本体２の下面に設けられたリング溝２４内に配置され、この状態で裏蓋５の上面に弾接するように構成されている。締結ねじ６は、裏蓋５に設けられた孔に下側から挿入され、ベゼル３と裏蓋５とをその間にケース本体２を挟み付けて締結するように構成されている。
【００３３】
＜アンテナ装置の構成＞
次に、腕時計１００に設けられたアンテナ装置１０について説明する。
アンテナ装置１０は、図２〜図６に示すように、アンテナ本体３０と、このアンテナ本体３０を収納し、アンテナ本体３０を上下方向から挟み込んで、アンテナ本体３０を外部からの衝撃等から保護するカバーケース３１と、このカバーケース３１とアンテナ本体３０とを接着する接着剤３２と、アンテナ本体３０と時計モジュール７内の回路基板(図示せず)とを電気的に接続するフレキシブル基板３３と、を備えている。アンテナ本体３０は、図７〜図９に示すように、コア部３６と、このコア部３６にコイルを巻きつけて形成した巻線部３７と、により構成されている。コア部３６は、例えば、電波の受信感度が高いフェライトからなり、図１０〜図１２に示すように、その断面がほぼ長方形に形成された角棒状の芯材部３８を備え、この芯材部３８の両端部に芯端片３９をそれぞれ形成した構造になっている。
【００３４】
芯端片３９は、図１０〜図１２に示すように、それぞれ直方体の上部外側を斜めに切り落した傾斜面３９ａを有する形状に形成され、この傾斜面３９ａを外側に向けた状態で互いに対向して配置されている。そして、芯材部３８は、図１０及び図１２に示すように、互いに対向する芯端片３９の上下方向における中間部に位置し、且つ、図１１及び図１２に示すように、芯端片３９の前後方向(図１２では左右方向)における前部(図１２では右端部)に位置し、この状態で、コイルとしての銅線等がほぼ均等な厚みで巻き付けられて巻線部３７を形成している。
また、コア部３６の表層部には、例えば、厚さ２０〜３０μｍ程度のフッ素樹脂（非導電性樹脂）がコーティングされており、巻線部３７と絶縁されている。
なお、フッ素樹脂による表層部のコーティンングは、例えば、芯材部３８のみに施したり、芯材部３８と互いに対向する芯端片３９に施したりすることによって巻線部３７とコア部３６との絶縁を確保する。
【００３５】
カバーケース３１は、例えば、電波を遮断しないポリブチレンテレフタレート(PBT)などの合成樹脂からなり、図１３〜図２１に示すように、アンテナ本体３０の上半分の周囲を囲む上部カバーピース３１ａと、アンテナ本体３０の下半分の周囲を囲む下部カバーピース３１ｂと、を備えている。
上部カバーピース３１ａは、図１３〜図１６に示すように、側面側から見てほぼ「コ」字状に形成された細長い枠状のケースで、その内部にアンテナ本体３０の巻線部３７の巻回部分を収納する収納部４０ａが形成された構造になっている。すなわち、上部カバーピース３１ａは、図１３及び図１５に示すように、収納部４０ａが上面部４１ａ、下面部４２ａ、背面部４３ａで形成され、これにより正面側が開放された細長い箱形状に形成されているとともに、図１３及び図１４に示すように、背面部４３ａの両側に鍔部４４ａがそれぞれ側方に突出して形成された構造になっている。
【００３６】
背面部４３ａには、芯材部３８のうち、巻線部３７の長手方向の長さよりも長い辺を有する長方形状の窓部４５ａが形成されている。窓部４５ａは、アンテナ本体３０を囲んだ際に、巻線部３７が最も外側に突出する位置に形成されており、窓部４５ａを設けることにより、背面部４３ａの厚み部分と重なるように巻線部３７を窓部４５側に突出させて配置することができる。これにより、上部カバーピース３１ａの厚み方向の長さ、即ち、上面部４１ａ及び下面部４２ａの幅方向の長さを短くすることができるようになっている。また、窓部４５ａを設けることにより、例えば、巻線部３７で発生する熱を発散させることができるようにされており、アンテナ本体３０を外部の衝撃から守りつつ、放熱効果が高い構造とされている。
【００３７】
また、両側の鍔部４４ａは、図２〜図６に示すように、アンテナ本体３０の巻線部３７を収納部４０ａに収納したときに、アンテナ本体３０の芯端片３９と密着するように構成されている。
さらに、図６に示すように、上部カバーピース３１ａの角部３１ｃは、上面部４１ａ、下面部４２ａ、背面部４３ａの厚さに比べて肉厚とされており、上部カバーピース３１ａの剛性を高める構造となっている。
【００３８】
下部カバーピース３１ｂは、図１７〜図２０に示すように、側面側から見てほぼ「コ」字状に形成された細長い枠状のケースで、その内部にアンテナ本体３０の巻線部３７を収納する収納部４０ｂが形成された構造になっている。すなわち、下部カバーピース３１ｂは、図１７及び図１９に示すように、収納部４０ｂが上面部４１ｂ、下面部４２ｂ、背面部４３ｂで形成され、これにより正面側が開放された細長い箱形状に形成されているとともに、図１８及び図１９に示すように、背面部４３ｂの両側に鍔部４４ｂがそれぞれ側方に突出して形成された構造になっている。
【００３９】
背面部４３ｂには、芯材部３８のうち、巻線部３７の長手方向の長さよりも長い辺を有する長方形状の窓部４５ｂが形成されている。窓部４５ｂは、アンテナ本体３０を囲んだ際に、巻線部３７が最も外側に突出する位置に形成されており、窓部４５ｂを設けることにより、背面部４３ｂの厚み部分と重なるように巻線部３７を窓部４５ｂ側に突出させて配置することができる。これにより、下部カバーピース３１ｂの厚み方向の長さ、即ち、上面部４１ｂ及び下面部４２ｂの幅方向の長さを短くすることができるようになっている。また、窓部４５ｂを設けることにより、巻線部３７で発生する熱を発散させることができるようにされており、アンテナ本体３０を外部からの衝撃から守りつつ、放熱効果が高い構造とされている。
【００４０】
また、両側の鍔部４４ｂは、図２〜図６に示すように、アンテナ本体３０の巻線部３７を収納部４０ｂに収納したときに、アンテナ本体３０の芯端片３９にと密着するように構成されている。
さらに、下部カバーピース３１ｂの角部３１ｄは、上面部４１ｂ、下面部４２ｂ、背面部４３ｂの厚さに比べて肉厚とされており、下部カバーピース３１ｂの剛性を高める構造となっている。
【００４１】
接着剤３２は、例えば、エポキシ系の接着剤であり、図２及び図６に示すように、アンテナ本体３０の巻線部３７をカバーケース３１の収納部４０ａ，４０ｂ内に収納した状態で、巻線部３７の外周面と収納部４０ａ，４０ｂの内周面との間に塗布され、アンテナ本体３０とカバーケース３１とを点接着するように構成されている。すなわち、アンテナ本体３０の巻線部３７の巻回部分はその断面形状がほぼ円形状に形成されており、またカバーケース３１の収納部４０は、その断面形状がコ字状で、その内部の断面形状は巻線部３７の巻回部分が内接するほぼ正方形状に形成されている。このため、アンテナ本体３０の巻線部３７の巻回部分がカバーケース３１の収納部４０ａ，４０ｂ内に収納されると、収納部４０ａ，４０ｂ内の隅部に隙間が形成される。この隙間に接着剤３２が塗布される。
また、図２に示すように、接着剤３２は、芯端片３９間の距離を約三等分する位置に塗布されている。
【００４２】
フレキシブル基板３３は、図２及び図５に示すように、一端部３３ａがカバーケース３１の一方(同図では右側)の鍔部４４に取り付けられ、他端部３３ｂがカバーケース３１の中間部分から下側に延出され、この延出された他端部３３ｂが図１に示すように、時計ケース１内に挿入されて時計モジュール７の回路基板(図示せず)に取り付けられるように構成されている。すなわち、このフレキシブル基板３３は、その中間部がほぼ直角に屈曲され、その表面に２本の配線リード４７が一端部３３ａから他端部３３ｂに連続して形成されている。
【００４３】
そして、フレキシブル基板３３の一端部３３ａに位置する配線リード４７の各端子部には、それぞれアンテナ本体３０の巻線部３７の各端部が図４に示すハンダ４７ａによって電気的に接続された状態で固着されている。また、このフレキシブル基板３３の他端部３３ｂに位置する配線リード４７の各端子部は、時計モジュール７の回路基板(図示せず)の接続端子に電気的に接続されて取り付けられるように構成されている。これにより、フレキシブル基板３３は、アンテナ本体３０と時計モジュール７の回路基板(図示せず)とを電気的に接続している。
【００４４】
この場合、フレキシブル基板３３の一端部３３ａには、図５に示すように、上部カバーピース３１ａの一方の鍔部４４ａに設けられた位置決めピン４８が挿入されて位置決めされる位置決め孔４９が設けられている。また、このフレキシブル基板３３は、図５に示すように、その一端部３３ａがカバーケース３１の一方の鍔部４４に配置されるとともに、その中間部分がカバーケース３１の背面部４３に重なるように配置され、かつ、他端部３３ｂがカバーケース３１の下面部４２の中間部分から下側に延出された状態で、カバーケース３１に取り付けられている。
【００４５】
＜腕時計の動作＞
次に、アンテナ装置１０を備えた腕時計１００の動作について説明する。
図２２は、腕時計１００の内部構成を示すブロック図である。腕時計１００は、ＣＰＵ６０と、入力部６１と、表示部６２と、ＲＯＭ６３と、ＲＡＭ６４と、受信制御部６５と、タイムコード変換部６６と、計時回路部６７と、発振回路部６８と、を備えて構成される。また、発振回路部６８を除く各部はバス６９によって接続され、発振回路部６８は計時回路部６７に接続されている。
ＣＰＵ６０は、所定のタイミング或いは入力部６１から入力された操作信号に応じてＲＯＭ６３に格納されたプログラムを読み出してＲＡＭ６４に展開し、該プログラムに基づいて腕時計１００を構成する各部への指示やデータの転送等を行う。具体的には、例えば所定時間毎に受信制御部６５を制御して標準電波の受信処理を実行し、タイムコード変換部６６から入力された図２３に示すような標準タイムコードに基づいて計時回路部６７で計数される現在時刻データを修正する。
【００４６】
入力部６１は、腕時計１００の各種機能の実行を指示するためのスイッチ等であり、これらのスイッチが操作されると、対応する操作信号をＣＰＵ６０に出力する。
表示部６２は、文字板やＣＰＵ６０によって制御されるアナログ指針機構（図示せず）を含み、計時回路部６７によって計時された現在時刻を表示する。
ＲＯＭ６３は、腕時計１００にかかるシステムプログラムやアプリケーションプログラム、本実施形態を実現するためのプログラムやデータ等を記憶する。
ＲＡＭ６４は、ＣＰＵ６０の作業領域として用いられ、ＲＯＭ６３から読み出されたプログラムやＣＰＵ６０で処理されたデータ等を一時的に記憶する。
【００４７】
受信制御部６５は、電波受信装置７０を備えている。この電波受信装置７０には、上記のアンテナ装置１０が設けられており、アンテナ装置１０で受信した標準電波の不要な周波数成分をカットして該当する周波数信号を取り出し、この周波数信号を対応した電気信号に変換した信号をタイムコード変換部６６へ出力する。
タイムコード変換部６６は、電波受信装置７０から入力された電気信号をデジタル信号に変換し、標準時刻コードや積算コード、曜日コード等の時計機能に必要なデータを含む標準タイムコードを生成してＣＰＵ６０に出力する。
計時回路部６７は、発振回路部６８から入力される信号を計数して現在時刻を計時し、計時した現在時刻データをＣＰＵ６０に出力する。発振回路部６８は、常時一定周波数のクロック信号を出力する回路である。
【００４８】
本実施形態におけるアンテナ装置１０によれば、コア部３６の表層部にフッ素樹脂をコーティングすることにより、コア部３６の表層部は絶縁される。これにより、電波を受信することによって巻線部３７に発生した電流がコア部３６に流れることがなくなり、電波の受信効率を向上させることができる。また、コア部３６の表層部は、フッ素樹脂によって絶縁することができるため、従来のように、絶縁テープを巻きつける場合（厚さ２００μｍ）に比べて、絶縁層をはるかに薄くすることができる（厚さ２０〜３０μｍ）ので、コア部３６の拡大化を抑制することができ、必要なコイル長を短縮することができる。これにより、直流抵抗特性を向上させるとともに、アンテナ装置１０の小型化を図ることができる。
また、コア部３６と巻線部３７との双方の周囲を囲むカバーケース３１を設けることにより、コア部３６及び巻線部３７は、カバーケース３１によって外部からの衝撃から保護される。よって、アンテナ装置１０の耐衝撃性を高めることができる。
さらに、カバーケース３１は、上部カバーピース３１ａ及び下部カバーピース３１ｂを組み合わせることにより構成されるので、コア部３６及び巻線部３７の取り付け操作を容易にすることができる。
【００４９】
また、カバーケース３１の角部３１ｃ，３１ｄを他の部分に比べて肉厚にしたので、アンテナ装置１０の耐衝撃性を更に高めることができる。
さらに、コア部３６の厚み方向の面に、巻線部３７の長さよりも大きな窓部４５ａ，４５ｂが設けられているので、カバーケース３１におけるコア部３６の厚み方向の背面部４３ａ、４３ｂにおいて、背面部４３ａ、４３ｂの厚み部分と重なるように巻線部３７を窓部４５ａ、４５ｂ側に突出させて配置することができることとなって、その重なった分だけカバーケース３１を薄型化することができることとなって、アンテナ装置１０の薄型化を図ることができる。
また、コア部３６と巻線部３７のうち少なくとも一方とカバーケース３１とを複数の箇所で接着剤３２により点接着したので、強度を維持したまま、コア部３６、カバーケース３１、接着剤３２の温度膨張係数と湿度収縮係数の違いによって発生するコア部３６の歪みによる特性劣化の緩和を図ることができる。
【００５０】
さらに、巻線部３７にフレキシブル基板３３が接続されているので、アンテナ装置１０を電子機器等に内蔵する際に配線の引き回しを自在にすることができる。
また、アンテナ装置１０を腕時計１００の時計ケース１内に設けることにより、腕時計１００の薄型化を図ることができる。
【００５１】
なお、本発明は、上記実施の形態に限定されるものではない。例えば、コア部３６にフッ素樹脂をコーティングする方法に代えて、エポキシ粉体を塗布してもよい。また、カバーケース３１の形状、カバーピースへの分割数は任意であって、自由に設計変更可能である。さらに、アンテナ本体３０とカバーケース３１とを接着剤３２で接着する位置も任意であって、自由に設計変更可能である。また、カバーケース３１と巻線部３７とを接着剤３２によって接着しているが、カバーケース３１とコア部３６とを接着剤３２によって接着してもよい。
【図面の簡単な説明】
【００５２】
【図１】本発明におけるアンテナ装置を有する腕時計の断面図である。
【図２】本発明におけるアンテナ装置の平面図である。
【図３】本発明におけるアンテナ装置の側面図である。
【図４】本発明におけるアンテナ装置の背面図である。
【図５】本発明におけるアンテナ装置の底面図である。
【図６】図５に示すアンテナ装置のＶＩ−ＶＩ断面図である。
【図７】本発明のアンテナ装置におけるアンテナ本体の平面図である。
【図８】図７に示すアンテナ本体の底面図である。
【図９】図７に示すアンテナ本体の側面図である。
【図１０】本発明のアンテナ装置におけるアンテナ本体のコア部の平面図である。
【図１１】本発明におけるアンテナ本体の底面図である。
【図１２】本発明におけるアンテナ本体の側面図である。
【図１３】本発明のアンテナ装置におけるカバーケースの上部カバーピースの平面図である。
【図１４】本発明のアンテナ装置におけるカバーケースの上部カバーピースの背面図である。
【図１５】本発明のアンテナ装置におけるカバーケースの上部カバーピースの底面図である。
【図１６】本発明のアンテナ装置におけるカバーケースの上部カバーピースの側面図である。
【図１７】本発明のアンテナ装置におけるカバーケースの下部カバーピースの平面図である。
【図１８】本発明のアンテナ装置におけるカバーケースの下部カバーピースの背面図である。
【図１９】本発明のアンテナ装置におけるカバーケースの下部カバーピースの底面図である。
【図２０】本発明のアンテナ装置におけるカバーケースの下部カバーピースの側面図である。
【図２１】本発明のアンテナ装置におけるカバーケースの背面図である。
【図２２】腕時計の内部構成を示すブロック図である。
【図２３】タイムコードのフォーマットを示す図である。
【図２４】（ａ）は、従来のアンテナ本体の平面図である。（ｂ）は、（ａ）に示す従来のアンテナ本体のＢ−Ｂ断面図である。
【符号の説明】
【００５３】
１  時計ケース
９  延出部（バンド取付部）
１０  アンテナ装置
３１  カバーケース
３１ａ  上部カバーピース
３１ｂ  下部カバーピース
３３  フレキシブル基板
３６  コア部
３７  巻線部
４５ａ  窓部
４５ｂ  窓部
１００  腕時計（時計）
【図１】
2005159904.tif 000003
【図２】
2005159904.tif 000004
【図３】
2005159904.tif 000005
【図４】
2005159904.tif 000006
【図５】
2005159904.tif 000007
【図６】
2005159904.tif 000008
【図７】
2005159904.tif 000009
【図８】
2005159904.tif 000010
【図９】
2005159904.tif 000011
【図１０】
2005159904.tif 000012
【図１１】
2005159904.tif 000013
【図１２】
2005159904.tif 000014
【図１３】
2005159904.tif 000015
【図１４】
2005159904.tif 000016
【図１５】
2005159904.tif 000017
【図１６】
2005159904.tif 000018
【図１７】
2005159904.tif 000019
【図１８】
2005159904.tif 000020
【図１９】
2005159904.tif 000021
【図２０】
2005159904.tif 000022
【図２１】
2005159904.tif 000023
【図２２】
2005159904.tif 000024
【図２３】
2005159904.tif 000025
【図２４】
2005159904.tif 000026